(57)【要約】【課題】通信条件が異なる電子機器でも使用できるバッテリー装置およびそのようなバッテリー装置を装着して使用する電子機器を提供する。【解決手段】ＣＰＵ６０は、入出力インターフェース５６を介して、判別端子３４０８の電圧Ｅの大きさを判別し、その判別結果に基づいて通信部６２の通信速度を変更させるように構成されている。本実施の形態では、判別端子３４０８が開放されると、抵抗５８の他端が「Ｈ」レベルとなり、判別端子３４０８がグランドレベルに接続されると、抵抗５８の他端が「Ｌ」レベルとなる。ＣＰＵ６０は、判別端子３４０８が「Ｈ」であれば、通信部６２の通信速度を低速に変更し、判別端子３４０８が「Ｌ」であれば、通信部６２の通信速度を高速に変更するように構成されている。【選択図】図３
2007227150.tif 000002
【特許請求の範囲】
【請求項１】
バッテリーセルと、
前記バッテリーセルを収容するケースと、
前記ケースに設けられ前記バッテリーセルに電気的に接続されたバッテリー側正極端子とバッテリー側負極端子と、
前記ケースに設けられたバッテリー側通信端子と、
前記ケースに収容され前記バッテリー側通信端子を介して電子機器との間で通信を行うバッテリー側通信部とを有するバッテリー装置であって、
前記バッテリー側通信部はその通信条件が変更可能に設けられ、
前記ケースに設けられたバッテリー側判別端子と、
前記ケースに収容され、前記バッテリー側判別端子の電圧の大きさを判別し、前記判別結果に基づいて前記通信条件を変更させるバッテリー側制御部と、
を備えることを特徴とするバッテリー装置。
【請求項２】
前記通信条件は通信速度および通信フォーマットの一方または双方を含むことを特徴とする請求項１記載のバッテリー装置。
【請求項３】
前記バッテリー側制御部は、一端が前記バッテリー側正極端子に接続され他端が前記バッテリー側判別端子に接続された抵抗を有し、前記バッテリー側制御部による前記判別は、前記抵抗の他端の電圧に基づいて行なわれることを特徴とする請求項１記載のバッテリー装置。
【請求項４】
前記バッテリー側通信部による通信はシリアル通信であることを特徴とする請求項１記載のバッテリー装置。
【請求項５】
前記バッテリー側制御部は前記バッテリーセルの残量を検出するように構成され、前記バッテリー側通信部は前記バッテリーセルの残量を示すデータを前記電子機器に通信するように構成されていることを特徴とする請求項１記載のバッテリー装置。
【請求項６】
バッテリー装置が着脱可能に装着される装着部を有し、
前記装着部に、前記バッテリー装置に設けられたバッテリー側正極端子およびバッテリー側負極端子のそれぞれに接続される機器側正極端子および機器側負極端子と、前記バッテリー装置に設けられたバッテリー側通信端子に接続される機器側通信端子とが設けられ、
前記機器側通信端子を介して前記バッテリー装置の通信部との間で通信を行う機器側通信部を有する電子機器であって、
前記装着部に前記バッテリー側判別端子に接続される機器側判別端子が設けられ、
前記機器側判別端子は所定の電圧に接続されている、
ことを特徴とする電子機器。
【請求項７】
前記機器側判別端子の前記所定の電圧への接続は抵抗を介してなされていることを特徴とする請求項６記載の電子機器。
【請求項８】
前記所定の電圧はグランドレベルであることを特徴とする請求項６記載の電子機器。
【請求項９】
前記通信はシリアル通信であることを特徴とする請求項６記載の電子機器。
【請求項１０】
前記電子機器は表示部と電子機器側制御部を有し、
前記機器側通信部は、前記バッテリー装置の通信部から前記機器側通信端子を介して受信した前記バッテリー装置の残量を受信し、
前記電子機器側制御部は、前記機器側通信部によって受信された前記バッテリー装置の残量に対応した残量表示を前記表示部によって行わせる、
ことを特徴とする請求項６記載の電子機器。
【発明の詳細な説明】
【技術分野】
【０００１】
本発明はバッテリー装置およびバッテリー装置が装着される電子機器に関する。
【背景技術】
【０００２】
携帯電話機やデジタルスチルカメラ、ビデオカメラなどの携帯用電子機器では、バッテリー装置（バッテリーパック）を電源として用いている。
近年、バッテリー装置に、電子機器との間で通信を行なう通信部を設け、通信部を介してバッテリー装置の電池残量データを電子機器に送信するようにしたものが提案されている（特許文献１参照）。
このバッテリー装置は、バッテリーセルを収容するケースに正極端子、負極端子の他にシリアル通信用の通信端子が設けられている。
このような通信部を有するバッテリー装置として、通信部の通信速度の高速化が要求されていることから、従来の通信速度が低速なバッテリー装置の他に、通信速度が高速なバッテリー装置を製造することが考えられる。
この場合、通信速度が低速なバッテリー装置のみが使用できる従来の電子機器の他に、高速なバッテリー装置を使用できる電子機器を製造することになる。
【特許文献１】特開２００５−３４５３６９号公報
【発明の開示】
【発明が解決しようとする課題】
【０００３】
このように通信速度が低速なバッテリー装置と高速なバッテリー装置の２種類のバッテリー装置が市場に出回ることになった場合、通信速度が低速な電子機器が、通信速度が低速なバッテリー装置しか使用できず、高速なバッテリー装置が使用できないことになると、通信速度が低速な電子機器のユーザーは通信速度が高速なバッテリー装置を使用することができず、使い勝手が悪いものとなる。
そのため、通信速度が低速な電子機器であっても、通信速度が高速なバッテリー装置が使用できるように、バッテリー装置にいわゆる上位互換性を持たせることが要求される。
本発明はこのような事情に鑑みなされたもので、その目的は、通信速度などの通信条件が異なる電子機器でも使用できるように通信条件を変更して使用できるバッテリー装置およびそのようなバッテリー装置を装着して使用する電子機器を提供することにある。
【課題を解決するための手段】
【０００４】
上述の目的を達成するため、本発明は、バッテリーセルと、前記バッテリーセルを収容するケースと、前記ケースに設けられ前記バッテリーセルに電気的に接続されたバッテリー側正極端子とバッテリー側負極端子と、前記ケースに設けられたバッテリー側通信端子と、前記ケースに収容され前記バッテリー側通信端子を介して電子機器との間で通信を行うバッテリー側通信部とを有するバッテリー装置であって、前記バッテリー側通信部はその通信条件が変更可能に設けられ、前記ケースに設けられたバッテリー側判別端子と、前記ケースに収容され、前記バッテリー側判別端子の電圧の大きさを判別し、前記判別結果に基づいて前記通信条件を変更させるバッテリー側制御部とを備えることを特徴とする。
また、本発明は、バッテリー装置が着脱可能に装着される装着部を有し、前記装着部に、前記バッテリー装置に設けられたバッテリー側正極端子およびバッテリー側負極端子のそれぞれに接続される機器側正極端子および機器側負極端子と、前記バッテリー装置に設けられたバッテリー側通信端子に接続される機器側通信端子とが設けられ、前記機器側通信端子を介して前記バッテリー装置の通信部との間で通信を行う機器側通信部を有する電子機器であって、前記装着部に前記バッテリー側判別端子に接続される機器側判別端子が設けられ、前記機器側判別端子は所定の電圧に接続されていることを特徴とする。
【発明の効果】
【０００５】
本発明のバッテリー装置によれば、判別端子の電圧の大きさの判別結果に基づいて通信条件を変更するようにしたので、通信条件が異なる電子機器に装着して使用することができ使い勝手を高める上で有利となる。
また、本発明の電子機器によれば、バッテリー装置の判別端子に接続される判別端子に所定の電圧を接続したので、電子機器に装着されたバッテリー装置が判別端子の電圧の大きさの判別結果に基づいて通信条件を変更して通信を行うことが可能となり使い勝手を高める上で有利となる。
【発明を実施するための最良の形態】
【０００６】
（第１の実施の形態）
次に本発明の実施の形態の電子機器１０とバッテリー装置３０について図面を参照して説明する。
図１は電子機器１０とバッテリー装置３０の斜視図、図２は電子機器１０にバッテリー装置３０が装着された状態を示す説明図である。
本実施の形態では電子機器１０はビデオカメラからなる撮像装置である。
電子機器１０はケース１２と、ケース１２の前部に組み込まれた光学系１４と、該光学系１４で捉えた被写体像を撮像する不図示の撮像素子と、撮像素子で撮像された画像を表示するディスプレイ１６（特許請求の範囲の表示部に相当）と、撮像素子で撮像された画像を記録媒体に記録および／または再生する不図示の記録再生部とを有している。ディスプレイ１６は例えば液晶表示器で構成されている。
ケース１２の後部の上部にはビューファインダー装置１７が設けられ、ビューファインダー装置１７の下部にバッテリー装着部１８が設けられている。
バッテリー装置部１８には、撮像素子、ディスプレイ１６、記録再生部などに電源を供給するバッテリー装置３０が着脱可能に装着されるものである。
バッテリー装着部１８は、平坦な装着面１８０２と、装着面１８０２に設けられた複数の係止爪１８０４と、機器側端子２０とを有している。
係止爪１８０４は装着面１８０２の幅方向の両側箇所にそれぞれ複数個設けられている。
【０００７】
バッテリー装置３０はケース３２を有し、ケース３２は、長方形を呈する底面３２０２と、底面３２０２の四辺に接続された４つの側面３２０４と、側面３２０４を接続する上面３２０６とを有し直方体状を呈している。
底面３２０２の２つの短辺のうち一方の短辺寄りの箇所に機器側端子２０に接続されるバッテリー側端子３４が設けられている。
底面３２０２の２つの長辺にそれぞれ接続された２つの側面３２０４には、係止爪１８０４に係止可能な複数の係止片３２０８が設けられている。
そして、バッテリー装置３０のバッテリー側端子３４をバッテリー装着部１８の機器側端子２０に臨ませ、バッテリー装置３０を装着面１８０２に当接させて下方にスライドさせると、バッテリー装置３０の各係止片３２０８が各係止爪１８０４に係合し、図２に示すように、バッテリー装置３０がバッテリー装着部１８に装着される。
そして、バッテリー装置３０がバッテリー装着部１８に装着されることで、バッテリー側端子３４と機器側端子２０とが接続される。
【０００８】
次にバッテリー装置３０について詳細に説明する。
図３（Ａ）はバッテリー装置３０の構成を示す説明図、（Ｂ）バッテリー装置３０のブロック図である。
図３（Ａ）に示すように、バッテリー装置３０はバッテリーセル３６と制御基板３８を有し、バッテリーセル３６と制御基板３８はケース３２に収容されている。
バッテリーセル３６は二次電池で構成され、本実施の形態では矩形板状のリチウムイオン電池で構成されている。なお、二次電池としては、ニッケルカドミウム電池、ニッケル水素電池など任意のものを採用可能である。
バッテリーセル３６の一側面には、正極のセル端子３６Ａ、負極のセル端子３６Ｂが設けられている。
制御基板３８は、帯板状を呈し裏面がバッテリーセル３６の一側面に重ね合わされた状態でケース３２に保持されている。
制御基板３８の裏面はセル端子３６Ａ、３６Ｂと電気的に接続されている。
制御基板３８の表面には前記のバッテリー側端子３４が設けられている。
バッテリー側端子３４は、正極端子３４０２、負極端子３４０４、通信端子３４０６、判別端子３４０８を有し、これら４つの端子が制御基板３８の長手方向に間隔をおいて設けられており、これら４つの端子は、ケース３２に設けられた開口から外方に露出して設けられている。
制御基板３８には複数の電子部品が実装され制御部４０が構成されている。
【０００９】
図３（Ｂ）に示すように、制御部４０は、マイクロコンピュータ４４と、充電ＦＥＴ４６と、放電ＦＥＴ４８とを備え、バッテリーセル３６の過充電や過放電を防止し、これによりバッテリーセル３６を保護する機能を有し、バッテリーセル３６の個々の電気的特性（仕様）に合わせて設計されている。
バッテリーセル３６の正極のセル端子３６Ａは、端子４００２および直列に接続された充電ＦＥＴ４６と放電ＦＥＴ４８を介して正極端子３４０２に電気的に接続されるとともに、マイクロコンピュータ４４に接続されている。
バッテリーセル３６の負極のセル端子３６Ｂは、端子４００４を介して負極端子３４０４に電気的に接続されるとともに、マイクロコンピュータ４４に接続されている。
詳細に説明すると、セル端子３６Ａは制御部４０の端子４００２と数十ｍΩ程度の検出抵抗４０１０を介して充電ＦＥＴ４６のソースに接続され、充電ＦＥＴ４６のドレインは放電ＦＥＴ４８のソースに接続され、放電ＦＥＴ４８のドレインは正極端子３４０２に接続されている。
充電ＦＥＴ４６のソースとドレインの間にはボディダイオード（付加ダイオード）４６０２が形成され、放電ＦＥＴ４８のソースとドレインの間にもボディダイオード（付加ダイオード）４８０２が形成されている。
充電ＦＥＴ４６のゲートと放電ＦＥＴ４８のゲートには、後述する制御部４０のドライバ５０から供給される駆動信号が与えられ、これにより、充電ＦＥＴ４６と放電ＦＥＴ４８のオン、オフ動作が制御される。
充電ＦＥＴ４６と放電ＦＥＴ４８によりバッテリーセル３６と正極端子３４０２、２０Ｂとの電気的接続をオンオフするスイッチ部が構成されている。なお、スイッチ部は、バッテリーセル３６と正極端子３４０２、２０Ｂとの電気的接続をオンオフする機能を有するものであればよく、ＦＥＴに限定されるものではない。
【００１０】
マイクロコンピュータ４４は、ドライバ５０、Ａ／Ｄコンバータ５２、通信インターフェース５４、入出力インターフェース５６、ＣＰＵ６０などを含んでいる。
ドライバ５０は、ＣＰＵ６０の制御により充電ＦＥＴ４６、放電ＦＥＴ４８のゲートに駆動信号を供給するものである。
Ａ／Ｄコンバータ５２は、検出抵抗４０１０の両端の電位差を計測することでバッテリーセル３６から供給される電流あるいはバッテリーセル３６に供給される電流に対応した電位差値ＥをＣＰＵ６０に供給するものであり、電位差値ＥはＣＰＵ６０でバッテリーセル３６の検出電流に換算される。
通信インターフェース５４は、ＣＰＵ６０が通信端子３４０６を介して外部の電子機器１０との間で双方向に通信を行う際に用いられるインターフェースであり、本実施の形態では、従来公知のシリアルペリフェラルインターフェース（ＳＰＩ）で構成されている。通信インターフェース５４はマイクロコンピュータ４４の端子５４０２を介して通信端子３４０６に接続されている。
したがって、本実施の形態では、ＣＰＵ６０と通信インターフェース５４によって電子機器１０と通信を行う通信部６２が構成されている。
通信部６２はその通信条件である通信速度が変更可能に構成されており、本実施の形態では、通信部６２は、高速（４倍速（８１９２ｐｂｓ））と低速（１倍速（２０４８ｐｂｓ））との２段階の通信速度に変更可能に構成されている。
入出力インターフェース５６は、複数の入力ポートおよび出力ポートを有しており、そのうちの１つの入力ポート５６０２が判別端子３４０８に接続されている。
本実施の形態では、１ＭΩ程度の抵抗５８の一端が正極端子３４０２に接続され他端が判別端子３４０８に接続されており、抵抗５８の他端の電圧が入力ポート５６０２に供給される。
したがって、入力ポート５６０２および判別端子３４０８は、抵抗５８を介してバッテリーセル３６の出力電圧、すなわち、「Ｈ」レベルにプルアップされている。
【００１１】
ＣＰＵ６０は、不図示のＲＯＭに格納されたプログラムを実行することにより動作するものであり、ドライバ５０、Ａ／Ｄコンバータ５２、通信インターフェース５４、入出力インターフェース５６の制御を司るものであり、バッテリーセル３６のセル端子３６Ａ、３６Ｂを介して供給される直流電源によって動作を行うものである。
また、ＣＰＵ６０は、Ａ／Ｄコンバータ５２によって検出されるバッテリーセル３６の検出電流を監視しており、充電時には、検出電流の値に応じて充電ＦＥＴ４６をオフすることでバッテリーセル３６への過充電を防止し、また、放電時には、検出電流の値に応じて放電ＦＥＴ４８をオフすることでバッテリーセル３６の過放電、あるいは、正極端子３４０２、負極端子３４０４の短絡時の過電流を防止している。
また、ＣＰＵ６０は、バッテリーセル３６の検出電流に基づいてバッテリーセル３６の充電残量を検出し、その残量データを通信部６２を介して電子機器１０に送信するように構成されている。
また、ＣＰＵ６０は、入出力インターフェース５６を介して、判別端子３４０８の電圧の大きさを判別し、その判別結果に基づいて通信部６２の通信速度を変更させるように構成されている。
本実施の形態では、判別端子３４０８が開放されると、抵抗５８の他端が「Ｈ」レベルとなり、判別端子３４０８がグランドレベルに接続されると、抵抗５８の他端が「Ｌ」レベルとなる。
ＣＰＵ６０は、判別端子３４０８が「Ｈ」であれば、通信部６２の通信速度を低速に変更し、判別端子３４０８が「Ｌ」であれば、通信部６２の通信速度を高速に変更するように構成されている。
【００１２】
本実施の形態のバッテリー装置３０は、通信速度が高速（４倍速（８１９２ｐｂｓ））な電子機器１０と通信速度が低速（１倍速（２０４８ｐｂｓ））な電子機器１０との双方で使用可能に構成されている。
以下、バッテリー装置３０を、通信速度が高速な電子機器１０Ａ（以下高速電子機器１０Ａという）と、通信速度が低速な電子機器１０Ｂ（以下低速電子機器１０Ｂという）に装着した場合について説明する。
図４はバッテリー装置３０が高速電子機器１０Ａに装着された場合のブロック図、図５はバッテリー装置３０が低速電子機器１０Ｂに装着された場合のブロック図、図６はバッテリー装置３０の動作フローチャートである。
【００１３】
まず、図４を参照して高速電子機器１０Ａの構成について説明する。
高速電子機器１０Ａは、機器側端子２０が正極端子２００２、負極端子２００４、通信端子２００６、判別端子２００８の４つの端子を有している。
バッテリー装置３０がバッテリー装着部１８に装着された状態で、正極端子２００２、負極端子２００４、通信端子２００６、判別端子２００８は、バッテリー装置３０の正極端子３４０２、負極端子３４０４、通信端子３４０６、判別端子３４０８にそれぞれ接続される。
高速電子機器１０Ａは、前述したディスプレイ１６の他に、レギュレータ２２、マイクロコンピュータ２４を含んでいる。
レギュレータ２２は、正極端子２００２、２００４を介してバッテリー装置３０から供給される電源を所定電圧、所定電流に安定化してディスプレイ１６、マイクロコンピュータ２２、前記撮像素子、前記記録再生部などに供給するものである。
マイクロコンピュータ２４は、不図示のＣＰＵと通信インターフェースからなる通信部２６を備え、通信部２６は、通信端子２００６、３４０６を介してバッテリー装置３０の通信部６２と通信速度が高速なシリアル通信を行うように構成されている。
判別端子２００８は、所定の電圧、本実施の形態では、グランドレベルに接続されている。したがって、バッテリー装置３０がバッテリー装着部１８に装着された状態で、高速電子機器１０Ａの判別端子３４０８は判別端子２００８を介してグランドレベルに接続され、したがって、判別端子３４０８の電圧は「Ｌ」レベルとなる。
【００１４】
次に、図５を参照して低速電子機器１０Ｂの構成について説明する。
低速電子機器１０Ｂは、高速電子機器１０Ａと異なり、機器側端子２０が正極端子２００２、負極端子２００４、通信端子２００６の３つの端子を有しているが、判別端子２００８は設けられていない。
バッテリー装置３０がバッテリー装着部１８に装着された状態で、正極端子２００２、負極端子２００４、通信端子２００６は、バッテリー装置３０の正極端子３４０２、負極端子３４０４、通信端子３４０６にそれぞれ接続される。
低速電子機器１０Ｂも、高速電子機器１０Ａと同様に、ディスプレイ１６の他に、レギュレータ２２、マイクロコンピュータ２４を含んでいる。
マイクロコンピュータ２４は、不図示のＣＰＵと通信インターフェースからなる通信部２６を備え、通信部２６は、通信端子２００６、３４０６を介してバッテリー装置３０の通信部６２と通信速度が低速なシリアル通信を行うように構成されている。
低速電子機器１０Ｂでは判別端子２００８が設けられていないため、バッテリー装置３０がバッテリー装着部１８に装着された状態で、バッテリー装置３０の判別端子３４０８はオープン状態となり、したがって、抵抗５８でプルアップされている判別端子３４０８の電圧は「Ｈ」レベルとなる。
【００１５】
次に、図６を参照してバッテリー装置３０の動作を説明する。
バッテリー装置３０がバッテリー装着部１８に装着されバッテリー側端子３４の正極端子３４０２、負極端子３４０４が機器側端子２０の正極端子２００２、負極端子２００４に接続されると、検出抵抗４０１０を介して電流が流れる。ＣＰＵ６０は前記電流を検出すると通信動作を開始する。
ＣＰＵ６０は入力ポート５６０２を介して判別端子３４０８の電圧が「Ｈ」レベルか「Ｌ」レベルかを判別する（ステップＳ１０）。
電圧が「Ｌ」レベルと判別されたならば、ＣＰＵ６０はバッテリー装置３０が装着された電子機器１０が高速電子機器１０Ａであると判断して通信部６２の通信速度を高速に変更して通信を行わせ、バッテリーセル３６の残量データを高速電子機器１０Ａに送信し（ステップＳ１２）、通信を終了する。
これにより、高速電子機器１０ＡのＣＰＵは通信部２６で受信した残量データに基づいてディスプレイ１６に残量表示を行う。
一方、ステップＳ１０で電圧が「Ｈ」レベルと判別されたならば、ＣＰＵ６０はバッテリー装置３０が装着された電子機器１０が低速電子機器１０Ｂであると判断して通信部６２の通信速度を低速に変更して通信を行わせ、バッテリーセル３６の残量データを低速電子機器１０Ｂに送信し（ステップＳ１４）、通信を終了する。
これにより、低速電子機器１０ＢのＣＰＵは通信部２６で受信した残量データに基づいてディスプレイ１６に残量表示を行う。
【００１６】
次に、低速で通信を行うバッテリー装置６４（以下低速バッテリー装置６４という）を低速電子機器３０Ｂに装着した場合について説明する。
図７は、低速バッテリー装置６４を低速電子機器３０Ｂに装着した状態を示すブロック図である。
低速バッテリー装置６４は、判別端子３４０８、抵抗５８を有さない点がバッテリー装置３０と異なり、他の構成はバッテリー装置３０と同様である。
この場合は、低速バッテリー装置６４がバッテリー装着部１８に装着された状態で、正極端子２００２、負極端子２００４、通信端子２００６は、低速バッテリー装置６４の正極端子３４０２、負極端子３４０４、通信端子３４０６にそれぞれ接続される。
マイクロコンピュータ２４の通信部２６は、通信端子２００６、３４０６を介して低速バッテリー装置６４の通信部６２と通信速度が低速なシリアル通信を行う。
【００１７】
図８は電子機器とバッテリー装置の組み合わせを示す説明図である。
図８において、記号＋は正極端子を示し、記号−は負極端子を示し、記号ｃは通信端子を示し、記号ｎは判別端子を示す。また、バッテリー装置から電子機器に向けて描かれた矢印はそのバッテリー装置を電子機器に装着して使用することができることを示している。
本発明のバッテリー装置３０は、上述したように、通信速度を変更することにより、高速電子機器１０Ａ、低速電子機器１０Ｂの双方に装着して使用することができ、いわゆる上位互換性を実現することができる。
一方、低速バッテリー装置６４は、通信速度が低速に固定されて変更することができないため、低速電子機器１０Ｂに装着して使用することができるが、高速電子機器１０Ａに装着しても使用することができない。
したがって、以下のように構成することで、低速バッテリー装置６４を高速電子機器１０Ａの装着部１８に装着不能とすることが好ましい。
すなわち、高速電子機器１０Ａの装着部１８に凸部を設けるとともに、バッテリー装置３０のケース３２に前記凸部が収容される凹部を設ける。
低速電子機器１０Ｂの装着部１８には前記凸部を設けず、低速バッテリー装置６４のケースには前記凹部を設けない。
このように構成すると、高速電子機器１０Ａの装着部１８には凸部がもうけられているため、凹部を有するバッテリー装置３０は装着できるものの、凹部を有しない低速バッテリー装置６４は装着が不能となる。
一方、低速電子機器１０Ｂの装着部１８には凸部が設けられていないので、凹部を有するバッテリー装置３０も、凹部を有さない低速バッテリー装置６４も装着可能となる。
【００１８】
本実施の形態のバッテリー装置３０によれば、判別端子３４０８を有し、その判別端子３４０８の電圧の大きさの判別結果に基づいて通信部６２の通信条件である通信速度を変更するようにしたので、通信速度が異なる電子機器に装着して使用することができ使い勝手を高める上で有利となる。
また、本実施の形態の電子機器１０Ａによれば、バッテリー装置３０の判別端子３４０８に接続される判別端子２００８を有し、その判別端子２００８に所定の電圧を接続したので、電子機器１０Ａに装着されたバッテリー装置３０が判別端子３４０８の電圧の大きさの判別結果に基づいて通信条件である通信速度を変更させて通信を行うことが可能となり使い勝手を高める上で有利となる。
また、本実施の形態のバッテリー装置３０および電子機器１０Ａによれば、判別端子３４０８の電圧の大きさの判別結果に基づいて通信速度を変更するので、通信速度を決定するために要する時間が短時間で済み、バッテリー装置３０を電子機器１０Ａに装着してから必要なデータの授受を開始するまでの時間の短縮化を図ることができ有利である。
特に、バッテリーの残量データをバッテリー装置３０から電子機器１０Ａに送信し、電子機器１０Ａで残量表示を行わせる際には、バッテリー装置３０を電子機器１０Ａに装着してから残量表示を行うまでに要する時間の短縮化を図る上で有利となる。
例えば、バッテリー装置３０と電子機器１０Ａとの間で通信速度を決定するに際して、まず、低速な通信速度でハンドシェイクによる通信を行って通信速度の確認を行い、その後で通信速度を変更する場合に比較して、本実施の形態ではそのような通信速度を決定するための通信が不要となることから、大幅に時間を短縮することができ有利である。
また、このような通信速度を決定するための通信を行うためには、バッテリー装置３０および電子機器１０Ａの双方の通信制御にまつわるソフトウェアの構成が複雑となり、コストダウンを図る上で不利があるのに対して、本実施の形態では、そのようなソフトウェアを簡素化でき有利となる。
また、本実施の形態のバッテリー装置３０によれば、工場出荷時の調整や検査において、バッテリー装置３０の通信端子３４０６を介して通信を行う設備（調整装置や検査装置）は、通信速度が低速な設備であってもよい。したがって、前記設備として高速通信が可能なものを新たに増設することなくバッテリー装置３０を製造することができ製造コストの抑制を図る上で有利となる。
【００１９】
（第２の実施の形態）
次に第２の実施の形態について説明する。
第２の実施の形態が第１の実施の形態と異なるのは、通信条件が２段階の通信速度に加えて２種類の通信フォーマットを含んでおり、判別端子３４０８の電圧を４段階に判別する点である。本実施の形態において通信フォーマットはプロトコルを含むものとする。
図９（Ａ）は第２の実施の形態のバッテリー装置３０のブロック図、（Ｂ）は判別端子３４０８の電圧の説明図である。なお、以下の実施の形態において、第１の実施の形態と同一または同様の箇所、部材には同一の符号を付して説明する。
図９（Ａ）に示すように、バッテリー装置３０の構成は第１の実施の形態と同様である。
図９（Ｂ）に示すように、通信部６２は、通信条件としての通信速度が高速、低速の２段階に変更可能であり、それぞれの通信速度において通信条件としての通信フォーマットをフォーマット１、フォーマット２の２種類に変更可能であり、それらを組み合わせることで４種類の通信条件に変更することができるように構成されている。
【００２０】
また、ＣＰＵ６０（図３参照）は、判別端子３４０８の電圧Ｅを以下に説明するように、４段階の電圧範囲で判別するように構成されている。
すなわち、正極端子３４０２の電圧を４Ｖとした場合、第１の電圧範囲Ｌ１は０Ｖ以上１Ｖ未満、第２の電圧範囲Ｌ２は１Ｖ以上２Ｖ未満、第３の電圧範囲Ｌ３は２Ｖ以上３Ｖ未満、第４の電圧範囲Ｌ１は０Ｖ以上４Ｖ以下である。
そして、ＣＰＵ６０は判別端子３４０８の電圧Ｅが第１の電圧範囲Ｌ１に該当する場合には通信速度を低速、通信フォーマットをフォーマット１に変更する。
ＣＰＵ６０は判別端子３４０８の電圧Ｅが第２の電圧範囲Ｌ２に該当する場合には通信速度を高速、通信フォーマットをフォーマット１に変更する。
ＣＰＵ６０は判別端子３４０８の電圧Ｅが第３の電圧範囲Ｌ３に該当する場合には通信速度を低速、通信フォーマットをフォーマット２に変更する。
ＣＰＵ６０は判別端子３４０８の電圧Ｅが第４の電圧範囲Ｌ４に該当する場合には通信速度を高速、通信フォーマットをフォーマット２に変更する。
【００２１】
図１０（Ａ）はバッテリー装置３０に第１の電子機器７０Ａが装着された状態を示すブロック図、（Ｂ）は判別端子３４０８の電圧Ｅの説明図である。
第１の電子機器７０Ａは判別端子２００８がグランドレベル（所定の電圧）に接続されている。
したがって、バッテリー装置３０が第１の電子機器７０Ａに装着された状態では、バッテリー装置３０の判別端子３４０８の電圧Ｅは０Ｖとなり、電圧Ｅが第１の電圧範囲Ｌ１に該当するので、ＣＰＵ６０は通信部６２の通信速度を低速、通信フォーマットをフォーマット１に変更する。
【００２２】
図１１（Ａ）はバッテリー装置３０に第２の電子機器７０Ｂが装着された状態を示すブロック図、（Ｂ）は判別端子３４０８の電圧Ｅの説明図である。
第２の電子機器７０Ｂは判別端子２００８が抵抗７２Ｂ（０．５ＭΩ）を介してグランドレベル（所定の電圧）に接続されている。
バッテリー装置３０が第２の電子機器７０Ｂに装着されると、電圧４Ｖが抵抗５８（抵抗１ＭΩ）と抵抗７２Ｂ（０．５ＭΩ）で分圧される。
すなわち、バッテリー装置３０の判別端子３４０８の電圧Ｅは、
Ｅ＝４Ｖ×０．５／（０．５＋１）＝１．３Ｖ
となり、電圧Ｅが第２の電圧範囲Ｌ２に該当するので、ＣＰＵ６０は通信部６２の通信速度を高速、通信フォーマットをフォーマット１に変更する。
【００２３】
図１２（Ａ）はバッテリー装置３０に第３の電子機器７０Ｃが装着された状態を示すブロック図、（Ｂ）は判別端子３４０８の電圧Ｅの説明図である。
第３の電子機器７０Ｃは判別端子２００８が抵抗７２Ｃ（１．５ＭΩ）を介してグランドレベル（所定の電圧）に接続されている。
バッテリー装置３０が第３の電子機器７０Ｃに装着されると、電圧４Ｖが抵抗５８（抵抗１ＭΩ）と抵抗７２Ｂ（１．５ＭΩ）で分圧される。
すなわち、バッテリー装置３０の判別端子３４０８の電圧Ｅは、
Ｅ＝４Ｖ×１．５／（１．５＋１）＝２．４Ｖ
となり、電圧Ｅが第３の電圧範囲Ｌ３に該当するので、ＣＰＵ６０は通信部６２の通信速度を低速、通信フォーマットをフォーマット２に変更する。
【００２４】
図１３（Ａ）はバッテリー装置３０に第４の電子機器７０Ｄが装着された状態を示すブロック図、（Ｂ）は判別端子３４０８の電圧Ｅの説明図である。
第４の電子機器７０Ｄは判別端子２００８が設けられていないものである。
バッテリー装置３０が第４の電子機器７０Ｄに装着されると、判別端子３４０８はオープン状態となる。
したがって、抵抗５８でプルアップされている判別端子３４０８の電圧Ｅは４Ｖとなり、電圧Ｅが第４の電圧範囲Ｌ４に該当するので、ＣＰＵ６０は通信部６２の通信速度を高速、通信フォーマットをフォーマット２に変更する。
【００２５】
本実施の形態によれば、第１の実施の形態と同様の効果を奏することは無論のこと、通信速度に加えて通信フォーマットも変更できるので、通信フォーマットが異なる電子機器に装着することができ使い勝手を向上させる上で有利となる。
また、本実施の形態では、バッテリー装置３０は、一端が正極端子３４０２に接続され他端が判別端子３４０８に接続された抵抗５８を有し、電子機器７０Ｂ、７０Ｃは、判別端子２００８が抵抗７２Ｂ、７２Ｃを介して所定の電圧（グランドレベル）に接続されている。
したがって、バッテリー装置３０の判別端子２００８の電圧Ｅを、バッテリー装置３０の正極端子３４０２の電圧Ｅをバッテリー装置３０の抵抗５８と電子機器の抵抗７２Ｂ、７２Ｃで分圧するといった簡単な構成で形成することができるので、電子機器の構成を簡素化できコストダウンを図る上で有利となる。
【００２６】
なお、実施の形態では、電子機器やバッテリー装置の通信部が互いにシリアル通信で通信を行う場合について説明したが、電子機器やバッテリー装置の通信部は互いに通信を行うことができればよいのであり、それらの通信方式はシリアル通信に限定されるものではなく、パラレル通信であってよい。
また、実施の形態では、電子機器が撮像装置である場合について説明したが、電子機器はビデオカメラやデジタルスチルカメラなどの撮像装置に限定されるものではなく、種々の携帯用電子機器などに広く適用可能である。
【図面の簡単な説明】
【００２７】
【図１】電子機器１０とバッテリー装置３０の斜視図である。
【図２】電子機器１０にバッテリー装置３０が装着された状態を示す説明図である。
【図３】（Ａ）はバッテリー装置３０の構成を示す説明図、（Ｂ）バッテリー装置３０のブロック図である。
【図４】バッテリー装置３０が高速電子機器１０Ａに装着された場合のブロック図である。
【図５】バッテリー装置３０が低速電子機器１０Ｂに装着された場合のブロック図である。
【図６】バッテリー装置３０の動作フローチャートである。
【図７】低速バッテリー装置６４を低速電子機器３０Ｂに装着した状態を示すブロック図である。
【図８】電子機器とバッテリー装置の組み合わせを示す説明図である。
【図９】（Ａ）は第２の実施の形態のバッテリー装置３０のブロック図、（Ｂ）は判別端子３４０８の電圧Ｅの説明図である。
【図１０】（Ａ）はバッテリー装置３０に第１の電子機器７０Ａが装着された状態を示すブロック図、（Ｂ）は判別端子３４０８の電圧Ｅの説明図である。
【図１１】（Ａ）はバッテリー装置３０に第２の電子機器７０Ｂが装着された状態を示すブロック図、（Ｂ）は判別端子３４０８の電圧Ｅの説明図である。
【図１２】（Ａ）はバッテリー装置３０に第３の電子機器７０Ｃが装着された状態を示すブロック図、（Ｂ）は判別端子３４０８の電圧Ｅの説明図である。
【図１３】（Ａ）はバッテリー装置３０に第４の電子機器７０Ｄが装着された状態を示すブロック図、（Ｂ）は判別端子３４０８の電圧Ｅの説明図である。
【符号の説明】
【００２８】
１０……電子機器、１８……装着部、２００２……正極端子、２００４……負極端子、２００６……通信端子、２００８……判別端子、２６……通信部、３０……バッテリー装置、３２……ケース、３４０２……正極端子、３４０４……負極端子、３４０６……通信端子、３４０８……判別端子、３６……バッテリーセル、４０……制御部、６２……通信部。
【図１】
2007227150.tif 000003
【図２】
2007227150.tif 000004
【図３】
2007227150.tif 000005
【図４】
2007227150.tif 000006
【図５】
2007227150.tif 000007
【図６】
2007227150.tif 000008
【図７】
2007227150.tif 000009
【図８】
2007227150.tif 000010
【図９】
2007227150.tif 000011
【図１０】
2007227150.tif 000012
【図１１】
2007227150.tif 000013
【図１２】
2007227150.tif 000014
【図１３】
2007227150.tif 000015